(57)【要約】【目的】  濾過材を層状に重ねることによって大面積の濾過材の装着と、各層の濾過材が均一にその性能を発揮することを可能にして、大きな濾過能力を持ち、あわせて取扱いが簡便で濾過材の寿命を大幅に延長した濾過器を作るものである。【構成】  パイプが貫通した浅い盆状の器で濾過材の保持器を作り、パイプに濾過水の出口となる孔をあける。その上に濾過材を装着して汚水等がマットの上面から下面に透過することで濾過するようにする。  この保持器を必要枚数重ねてパイプで連結し、全体として本体の大きさに比して画期的に広い表面積の濾過材を持つ多段型の濾過器を構成する。【選択図】  図２
2005058986.tif 000002
【特許請求の範囲】
【請求項１】
１  底板をパイプが貫通した浅い盆状の器を作り、パイプには、底板の上面の位置に濾過材を支えるツバ及び濾過水の出口となる孔を設けて濾過材の保持器とする。
２  以上の保持器を段状に必要枚数重ねて濾過器本体を形成する。
重ねた保持器は、相互のパイプが一本のパイプとなるようにそれぞれの上端と下端を、取り外し可能に連結することで一体として固定する。
３  最下段の保持器の底板はパイプを貫通せず、底板の上面にパイプが立ち上がった形とする。
４  濾過材は主としてマットを用い、マットの外側を保持器の外形に合わせて裁断し、内面部にはパイプの位置及びその外径に合わせた穴をあける。
５  保持器の縁の内側に滑らかに嵌まるように一対の枠を作り、マットの外側の切断部を上下から挟んで固定する。内側の穴の部分は、同じようにパイプに嵌まるように枠一対を作り、穴の周囲の切断部を挟んで固定する。
６  このように作られたマットを保持器の上面に装着し、必要枚数の保持器を重ね合わせる。
以上の構造の特許請求の範囲記載の濾過器。
【発明の詳細な説明】
【発明の詳細な説明】
【産業上の利用分野】
【０００１】  本発明は、池や水槽の水の濾過に用いられるほか、真空掃除機における空気の濾過などに利用できる。
【背景技術】
【０００２】  マットを濾過材に用いる濾過器の従来の方法は、基本的に一枚のマットを用いるものであり、マットの表面積は濾過器本体の大きさに制約され、しかも本体内には無駄な空間が多くて効率が悪かった。長いマットをジグザグに折って濾過器に巻き付ける方式でもこの点は基本的に変わらず、大幅に表面積を増大させることは不可能であった。
長いマットをぐるぐる巻きして用いる場合や、複数のマットを重ねて使用する方式にあっても、直接濾過対象物（以下「汚水等」という。）に接するのは最初の一枚だけで、他はそのマットを通過した汚水等に接するため、最初のマットが目詰まりすると捕集力が残っていても用を為さなくなり、全部のマットが十分にその性能を発揮することができなかった。また、マットが長いと洗浄や装着などが面倒で非常に扱いにくく、日常管理が煩雑であった。
【発明が解決しようとする課題】
【０００３】  本発明による濾過器は、生物濾過による浄化よりも、濾過材によって浮遊物質を捕集し、こまめに洗浄することによって取り除くいわゆる物理的濾過を主眼とし、次の課題を解決するものである。
１  濾過器内の無駄な空間をなくすことによってマットの数を多くし、飛躍的にその総表面積を大きくする。
２  各々のマットが独立して汚水等を直接透過することにより、全部のマットが均一にその性能を発揮するようにする。
３  マットを平らに置いて上面から汚水等を透過させることで補集効率を向上する。
４  マットの装着、洗浄等を簡便・容易にする。
５  マットの寿命を大幅に伸ばす。
【課題を解決するための手段】
【０００４】  パイプが貫通した浅い盆状の器でマット保持器を作り、パイプに汚水等の出口となる孔をあける。その上にマットを装着して汚水等がマットの上面から下面に透過することで濾過するようにする。この保持器を必要枚数重ねてパイプで連結し、全体として広い表面積の濾過材を持つ多段型の濾過器を構成する。
【作用】
【０００５】１  汚水等は、連結されたパイプに取り付けたポンプによって濾過器内に吸い込まれ、マットを通過して濾過、器外に排出するが、この場合、汚水等は保持器間の隙間を通ってそれぞれのマットの上面に至り、下面に向かってマットを通過する。そして、保持器の底板に沿ってパイプに設けた孔を通過し、連結されたパイプで一つにまとまって排出される。このように、各段のマットが独立して浮遊物質を捕集するため、部分的な目詰まりが他に影響することがなくなり、従来方式に比べて格段に長い期間にわたって濾過作用を持続することができる。
２  水中の浮遊物質は、本来水中の物体の上面に沈着・堆積する。この性質により、マットを平らに置いて上面で捕集することで捕集効率が高くなり、かつ捕集後の状態も安定して再度遊離・浮遊することが少ない。
３  マットの切断部が枠によって固定するので、洗浄の際の水圧や水流等によって伸びたりほつれたりすることが少なく、寿命が大幅に長くなる。
４  マットは、保持器に装着したままノズルから吹き出す水流を吹き付けるだけで十分に洗い流せるので極めて簡便であり、ちょっとした時間でもこまめに洗浄することができる。
【実施例】
【０００６】１  保持器を重ねる際のパイプの連結は、パイプの上端と下端に段差またはテーパーを設けてきっちりと差し込むか、ネジあるいは突起と切り欠きの組み合わせなどの方法によって上端を持ち上げても抜けないように固定する。但し最下段用の保持器は、構造が違うため他の段との互換性はない。
２  重ねる保持器の数を増減することで、任意の濾過性能の濾過器を自由に構成することができる。
３  パイプが貫通した形の板を作り、そのパイプ下端を最上段の保持器のパイプに連結して、最上段に傘をかぶせた形の構造とすることができる。
４  濾過器とポンプの取り付けには、次の方法がある。
（１）  モーターを上部に取り付けた、汲み上げパイプの長いポンプを取り付ける場合は、濾過器のパイプをポンプの汲み上げパイプよりも若干太くし、その中に汲み上げパイプを差し込んで、取り外しできるように最下段の保持器の底板に固定する。この場合、濾過水は各段のパイプの孔から連結されたパイプ内に至り、ポンプの汲み上げパイプとの隙間を通って下方に流れ、ポンプの吸入口を経て排出される。
（２）  汲み上げパイプの短い同じ方式のポンプの場合は、汲み上げパイプの下端を濾過器のパイプの上端に取り付ける。
（３）  濾過器を小型にした場合は、エアポンプにつないだホースの先端にエアストーンを取り付け、これを濾過器のパイプに上から通し、その先端を最下段の保持器の底板に、取り外しできるように嵌め込んだ構造とすることができる。
５  濾過器より少し大きいケースと、パイプを貫通させて固定した蓋を作り、蓋のパイプを濾過器のパイプに連結した上で濾過器をケースに入れて密封する構造とすることができる。
この構造は真空掃除機等に応用できるが、ポンプの取り付けには次のような方法がある。
（１）  ケースに水中ポンプを取り付けて汚水等を送り込む。この方法では、濾過器と離れた位置にポンプを設置できるので、池や水槽の内部で大きく水が循環する流れを作ることができる。
（２）  ケースに汚水等を取り込む孔をあけ、ケースがない場合と同様の方法でポンプを取り付ける。
（３）  ケースにホースを、蓋のパイプにポンプをそれぞれ取り付け、ケースに取り付けたホースから汚水等を吸い込む。この場合、ポンプの吐出口にホースを取り付ければ、濾過器を水槽外に設置することができる。
６  マットの切断箇所は、接着剤で固めるか糸でかがるなどの処理をした上で枠で固定すれば一層扱いやすく、かつ寿命を長くすることができる。特に、パイプに嵌まる穴の部分は、枠で上下を挟んで固定しなくても、接着剤で固めるか糸でかがるだけで、十分な強度を持たせることができる。
なお、マットの寿命を長くする方法としては、マットにキルティングを施す方法が考えられる。
７  保持器の形状を建物の屋根のようにすれば五重塔のような外観を作ることもできるなど、デザイン面でも多様な可能性が考えられる。
【発明の効果】
【０００７】１  濾過器本体の大きさに比して画期的な大面積の濾過材を用いることを可能にし、しかも各段の濾過材が均一にその性能を発揮できるため、濾過能力を飛躍的に高めた濾過器を作ることができる。
２  簡単な作業で気軽にいつでも洗浄できるようになり、水質の維持・管理が極めて容易になる。
３  マットが使えなくなった時はマットのみを交換すればよく、保持器や、マットの端を固定する枠などは半永久的に使えるので使用者の経済的負担が少ないほか、廃棄する物が少ないため環境にも優しい濾過器である。
【図面の簡単な説明】
【図１】  本発明に係る保持器の基本構造を示す断面図。
【図２】  保持器４枚で構成した濾過器に、吸い込みパイプの長いポンプを取り付けた構造の全体を示す断面図。
【図３】  空気によって循環させる小型濾過器のエアストーン取り付けを示す断面図。
【図４】  濾過器をケースに入れて密封し、水中ポンプで汚水等を注入する構造の断面図。
【符号の説明】
１  盆状の器
２  パイプ
３  濾過材を支えるツバ
４  濾過水の出口となる孔
５  マット
６  マット外縁を固定する枠
７  マットの穴の周囲を固定する枠
８  モーター
９  ポンプの汲み上げパイプ
１０  ポンプの吸入口
１１  エアホース
１２  エアストーン
１３  ケース
１４  ケースの蓋
１５  蓋に取り付けたパイプ
１６  水中ポンプ
【図１】
2005058986.tif 000003
【図２】
2005058986.tif 000004
【図３】
2005058986.tif 000005
【図４】
2005058986.tif 000006